(57)【要約】【課題】外観を向上させるとともにコストアップを抑えた照明器具を提供する。【解決手段】照明器具Ａは、横長の略矩形箱状の器具本体１を有し、器具本体１の内部には直管型の蛍光ランプ７が長手方向に沿って収納され、器具本体１において蛍光ランプ７の長手方向両側には、天井面から器具本体１を吊下げるための器具取付部１ａが一体に設けられている。また、器具本体１において下面側には、蛍光ランプ７よりも長手方向の長さ寸法の長い直管型の蛍光ランプ８が蛍光ランプ７と並行して取付けられ、蛍光ランプ８の下側には上面が開口する略矩形箱状であって透光性を有するカバー３が蛍光ランプ８を覆うように器具本体１に取付けられている。また、蛍光ランプ８は、その両端部とカバー３の両端部の間の空間３ａが器具本体１の器具取付部１ａ内に設けられた電線収納部１ｄよりも小さくなるように両端部がカバー３の両端部に近接配置されている。【選択図】図１
2008293802.tif 000002
【特許請求の範囲】
【請求項１】
上方照明用の第１の直管型ランプを内部に収納し、第１の直管型ランプからの照射光を上方に透過させる透光部を設けるとともに第１の直管型ランプの長手方向両側部に天井面から吊下げるための器具取付部を設けた器具本体と、器具本体の下面側に第１の直管型ランプと並行して配設された第２の直管型ランプを覆うように器具本体に取着され、第２の直管型ランプからの照射光を下方に透過させる透光性のカバーとを備え、ランプの長手方向において器具本体の全長とカバーの全長とを略同じ長さに形成し、第２の直管型ランプは長手方向における長さ寸法が第１の直管型ランプよりも長く形成されており、ランプの長手方向において第２の直管型ランプの両端部とカバーの両端部との間の空間が器具取付部の配置スペースに比べて小さくなるように第２の直管型ランプの両端部をカバーの両端部に近接配置したことを特徴とする照明器具。
【発明の詳細な説明】
【技術分野】
【０００１】
本発明は、上下に光源を配置した照明器具に関するものである。
【背景技術】
【０００２】
従来より、発光色の異なる２種類の片口金蛍光ランプを用いた照明器具があった（例えば特許文献１参照）。この照明器具は、横長の器具本体と、器具本体に設けたランプソケットを介して器具本体に取付けられる第１及び第２の片口金蛍光ランプと、第１及び第２の片口金蛍光ランプを覆うように器具本体に取付けられる透光性のカバーとを備えている。各ランプソケットは、ランプ装着面を互いに対向させた状態で、器具本体の長手方向に沿う両端側にそれぞれ設けられ、取付状態で上下方向に互いに異なる高さにそれぞれ配置されている。この照明器具では、使用者により第１又は第２の片口金蛍光ランプのいずれかが選択され、選択された片口金蛍光ランプから光が照射される。
【０００３】
上記の照明器具は２色の光源を備えたものであるが、図３（ａ）に示すように上方照明用の第１の直管型の蛍光ランプ７と下方照明用の第２の直管型の蛍光ランプ８を上下に配置した天井吊下型の照明器具Ａも提案されている。この照明器具Ａは横長の略箱状の器具本体１を有し、器具本体１にはランプソケット５を介して蛍光ランプ７が内装されており、器具本体１において蛍光ランプ７の長手方向両側部には、天井面から器具本体１を吊下げるための器具取付部１ａが一体に設けられている。また、器具本体１の下面には、蛍光ランプ８がランプソケット６を介して蛍光ランプ７と並行して取付けられており、蛍光ランプ８の下側には透光性のカバー３が蛍光ランプ８を覆うように器具本体１に取付けられている。この照明器具Ａでは、蛍光ランプ７からの照射光が器具本体１の上面に設けられた透光板２を透過して上方に照射され、蛍光ランプ８からの照射光がカバー３を透過して下方に照射される。
【特許文献１】特開２００５−３１０７２３号公報（段落［００１７］−［００２１］、及び、第１図−第２図）
【発明の開示】
【発明が解決しようとする課題】
【０００４】
上述した後者の照明器具Ａでは、器具本体１が幅寸法の狭い箱状に形成されており、且つ、蛍光ランプ７の上方部分に器具本体１と同程度の幅寸法の透光部が設けられているため、器具取付部１ａを蛍光ランプ７の長手方向両側部に配置しなければならず、その結果器具本体１及びカバー３の全長が蛍光ランプ７の全長よりも長くなっていた。そのため、蛍光ランプ８が蛍光ランプ７と同じ長さのものである場合、蛍光ランプ８の長手方向両側部（図３（ｂ）中のＢ部）に不要な空間３ａが生じ、蛍光ランプ８を点灯させた際にこの空間３ａには光が届かず、カバー３の両端部が中央部に比べて暗くなり、カバー３の色斑によって外観が悪くなるという問題があった。また、図３（ｃ）に示すようにこの空間３ａを不透明なカバー１３で覆うことによってカバー３の色斑を解消することはできるが、カバー１３を取付けることによって外観が悪くなり、またコストアップになるという問題があった。
【０００５】
本発明は上記問題点に鑑みて為されたものであり、その目的とするところは、外観を向上させるとともにコストアップを抑えた照明器具を提供することにある。
【課題を解決するための手段】
【０００６】
請求項１の発明は、上方照明用の第１の直管型ランプを内部に収納し、第１の直管型ランプからの照射光を上方に透過させる透光部を設けるとともに第１の直管型ランプの長手方向両側部に天井面から吊下げるための器具取付部を設けた器具本体と、器具本体の下面において第１の直管型ランプと略平行に配設された第２の直管型ランプを覆うように器具本体に取着され、第２の直管型ランプからの照射光を下方に透過させる透光性のカバーとを備え、ランプの長手方向において器具本体の全長とカバーの全長とを略同じ長さに形成し、第２の直管型ランプは長手方向における長さ寸法が第１の直管型ランプよりも長く形成されており、ランプの長手方向において第２の直管型ランプの両端部とカバーの両端部との間の空間が器具取付部の配置スペースに比べて小さくなるように第２の直管型ランプの両端部をカバーの両端部に近接配置したことを特徴とする。
【発明の効果】
【０００７】
請求項１の発明によれば、第２の直管型ランプの両端部をカバーの両端部に近接配置することによって、第２の直管型ランプからの光をカバーの両端部に照射することができるので、カバーの色斑を解消することができ、したがってランプ点灯時の照明器具の外観を向上させることができるという効果がある。また、カバーの両端部が暗くなることがないので不透明なカバーなどで両端部を覆う必要がなく、照明器具の外観を向上させるとともにコストアップを抑えることができるという効果もある。
【発明を実施するための最良の形態】
【０００８】
本発明の実施形態を図１及び図２に基づいて説明する。本実施形態の照明器具Ａは、例えば天井面（図示せず）に固定された一対の吊下部材９により器具本体１の長手方向両端側で吊下支持され、上方及び下方を同時に照明するために用いられる。
【０００９】
この照明器具Ａは、図１及び図２に示すように横長の略矩形箱状の器具本体１と、器具本体１の内部に収納され上方を照明するための蛍光ランプ（第１の直管型ランプ）７と、器具本体１の下面に取付けられ下方を照明するための蛍光ランプ（第２の直管型ランプ）８と、蛍光ランプ８を覆うように器具本体１の下面側に取付けられ蛍光ランプ８からの光を下方に透過させる透光性のカバー３とを備えている。
【００１０】
器具本体１は、細長い横長の略矩形箱状であって、上面には長手方向に沿って略矩形状の開口部１ｂが設けられている。尚、開口部１ｂは、幅方向の開口寸法が器具本体１の幅寸法に対してわずかに小さい寸法に設けられているため、器具本体１の幅方向において開口部１ｂの両側に吊下部材９を取付けることができない。したがって、本実施形態では、器具本体１の長手方向両端側に器具本体１を吊下部材９、９に取付けるための器具取付部１ａ、１ａをそれぞれ器具本体１と一体に設けている。また、一方（図２の左側）の器具取付部１ａの上面には後述する点灯回路ブロック１１に電源を供給するための電源線１０を挿通させる電線挿通孔１ｃが設けられている。
【００１１】
器具本体１の内部において上面側には、吊下部材９を固定するための略矩形板状の固定板１２が器具本体１の上面と略平行に一体成形されており、吊下部材９は例えばナットなどを螺着させることによって固定板１２に固定され、器具本体１を吊下支持する。また、固定板１２において器具本体１の開口部１ｂに対応する部位には略矩形状の開口部１２ａが設けられており、固定板１２の上面側には開口部１２ａを閉塞するように透光性を有する合成樹脂製の略矩形板状のパネル２が取付けられている。ここに、固定板１２の開口部１２ａと、パネル２と、器具本体１の開口部１ｂとで透光部が構成されている。尚、パネル２は、図示しない結合手段を用いて固定板１２に着脱自在に取付けられ、器具本体１内部に収納された蛍光ランプ７を交換する際には、パネル２を取り外し開口部１２ａを通して交換する。
【００１２】
さらに、器具本体１の内部において長手方向両端寄りには、ソケット台４を介してランプソケット５が互いのランプ装着面を対向させた状態でそれぞれ取付けられ、器具本体１の長手方向における各ランプソケット５の外側には空間（すなわち、器具取付部１ａの内部空間）が設けられている。また、器具本体１の内部において長手方向中央寄りには、蛍光ランプ７、８に点灯電力を供給するための点灯回路ブロック１１が収納されており、この点灯回路ブロック１１とランプソケット５及び後述するランプソケット６とが電線（図示せず）を介して電気的に接続されている。さらに、両ランプソケット５、５間には直管状の蛍光ランプ７が装着されており、この蛍光ランプ７は両端部に設けた口金７ｂを介してランプソケット５に機械的に保持されるとともに電気的に接続され、ランプソケット５を介して点灯電力が供給される。尚、本実施形態では、一端側（図２の左側）の上記空間により外部から器具本体１内に導入された電源線１０を収納するための電線収納部１ｄが構成されている。
【００１３】
また、器具本体１の下面において長手方向両端近傍には、ランプ装着面を外部（下側）に露出させるとともに互いに対向させた状態でランプソケット６がそれぞれ取付けられており、ランプソケット６の下側には上面が開口する略矩形箱状であって透光性を有するカバー３が器具本体１に取付けられている。尚、カバー３は、例えばアクリル樹脂などの合成樹脂成形品であって、長さ寸法及び幅寸法が器具本体１と略同寸法に形成されており、図示しない結合手段を用いて器具本体１に着脱自在に取付けられている。したがって、蛍光ランプ８を交換する際には、カバー３を取り外すことにより容易に交換することができる。さらに、両ランプソケット６、６間には直管状の蛍光ランプ８が蛍光ランプ７と並行して装着されており、この蛍光ランプ８は両端部に設けた口金８ｂを介してランプソケット６に機械的に保持されるとともに電気的に接続され、ランプソケット６を介して点灯電力が供給される。
【００１４】
尚、本実施形態では、図１（ａ）に示すように各ランプソケット６はカバー３の長手方向に沿う両端部に近接配置されているため、上述した器具取付部１ａの内部空間（図１（ａ）の電線収納部１ｄ）よりもカバー３と各ランプソケット６の間の空間３ａが小さくなっている。すなわち、ランプソケット６は器具本体１の長手方向においてランプソケット５よりも外側に配置されているため、本実施形態では蛍光ランプ８として長手方向に沿う発光管８ａの長さ寸法が蛍光ランプ７の発光管７ａの長さ寸法よりも長いものを採用している。例えば、蛍光ランプ７として長さ寸法が１１４９ｍｍのものを、蛍光ランプ８として長さ寸法が１１９８ｍｍのものを採用しており、この場合器具本体１の長手方向における寸法が片側約２５ｍｍの器具取付部１ａ、１ａを確保することができる。
【００１５】
ここで、この照明器具Ａの動作について説明する。点灯回路ブロック１１から点灯電力が供給されると蛍光ランプ７、８が点灯し、蛍光ランプ７の発光管７ａから照射された光はパネル２を透過するとともに開口部１ｂを通って外部に照射され、上方を照明する。一方、蛍光ランプ８の発光管８ａから照射された光はカバー３を透過して外部に照射され、下方を照明する。
【００１６】
本実施形態の照明器具Ａでは、器具取付部１ａを器具本体１の長手方向両端部に設けた場合であっても、下方照射用の蛍光ランプ８として発光管８ａの長さ寸法が上方照射用の蛍光ランプ７の発光管７ａよりも長いものを採用し、且つ、各ランプソケット６をカバー３の長手方向両端部にそれぞれ近接配置することによって、発光管８ａから照射された光をカバー３の両端部まで照射することができるので、カバー３の色斑を解消することができ、したがってランプ点灯時の照明器具Ａの外観を向上させることができる。また、カバー３の両端部が暗くなることがないので不透明なカバーなどで覆う必要がなく、照明器具Ａの外観を向上させるとともにコストアップを抑えることができる。
【図面の簡単な説明】
【００１７】
【図１】本実施形態の照明器具を示し、（ａ）は一部破断せる正面から見た断面図、（ｂ）は側面から見た断面図である。
【図２】同上の斜視図である。
【図３】従来例の照明器具を示し、（ａ）は一部破断せる正面から見た断面図、（ｂ）は一部破断せる斜視図、（ｃ）はカバーを取付けた状態の一部破断せる斜視図である。
【符号の説明】
【００１８】
１      器具本体
１ａ    器具取付部
１ｂ    開口部
２      パネル
３      カバー
７      蛍光ランプ（第１の直管型ランプ）
８      蛍光ランプ（第２の直管型ランプ）
１２ａ  開口部
Ａ      照明器具
【図１】
2008293802.tif 000003
【図２】
2008293802.tif 000004
【図３】
2008293802.tif 000005